(57)【要約】【課題】簡易な操作で複数種類の物品を管理できる。【解決手段】物品管理システムは、複数の収納部と、物品を管理する物品管理装置とを備える。前記収納部は、前記収納部の扉の開閉操作を検出する扉開閉操作検出部と、前記検出した収納部の扉の開操作又は閉操作に対応させて、前記収納部に収納されている物品に付与されている札から前記物品を識別する識別情報を読み出す読出部と、前記収納部に収納されている物品に付与された札の識別情報と、前記収納部を識別する収納部識別情報とを含む収納棚情報を送信する制御部と、を備え、前記物品管理装置は、前記収納棚情報を取得する情報取得部と、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する管理装置制御部とを備える。【選択図】図１
2017171459.tif 000002
【特許請求の範囲】
【請求項１】
扉が設けられた複数の収納部と、識別情報を含む情報を記憶する札が付与されている物品を管理する物品管理装置とを備える物品管理システムであって、
前記収納部は、
前記収納部の扉の開閉操作を検出する扉開閉操作検出部と、
前記検出した収納部の扉の開操作又は閉操作に対応させて、前記収納部に収納されている物品に付与されている札から前記物品を識別する識別情報を読み出す読出部と、
前記収納部に収納されている物品に付与された札の識別情報と、前記収納部を識別する収納部識別情報とを含む収納棚情報を送信する制御部と、
を備え、
前記物品管理装置は、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する管理装置制御部
を備えることを特徴とする物品管理システム。
【請求項２】
扉開閉操作検出部は、
前記収納部の扉の開操作を検出するとともに、前記収納部の扉の開操作を要求した利用者を特定する
ことを特徴とする請求項１記載の物品管理システム。
【請求項３】
前記管理装置制御部は、
前記収納棚情報に対応する前記収納部の扉の開く操作の履歴情報と、前記札の識別情報と、前記扉を閉じる操作の履歴情報と、前記収納部を識別する収納部識別情報とを対応付けて記憶部に記憶させ、
前記収納部識別情報と前記札の識別情報とに基づいて、前記収納部に収納されている物品の情報を、前記複数種類の物品から選択した物品の種類に対応する画面に表示する
ことを特徴とする請求項１記載の物品管理システム。
【請求項４】
扉が設けられた複数の収納部に収納されている物品を管理する物品管理装置であって、
前記収納部の扉の開閉操作を検出し、前記検出した収納部の扉の開操作又は閉操作に対応させて、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する前記収納部から、前記収納棚情報を取得する情報取得部と、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成する管理装置制御部と、
を備えることを特徴とする物品管理装置。
【請求項５】
扉が設けられた複数の収納部と、識別情報を含む情報を記憶する札が付与されている物品を管理する物品管理装置とを備える物品管理システムにおける物品管理方法であって、
前記収納部の扉の開閉操作を検出するステップと、
前記検出した収納部の扉の開操作又は閉操作に対応させて、前記収納部に収納されている物品に付与されている札から前記物品を識別する識別情報を読み出すステップと、
前記収納部に収納されている物品に付与された札の識別情報と、前記収納部を識別する収納部識別情報とを含む収納棚情報を送信するステップと、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、
を含むことを特徴とする物品管理方法。
【請求項６】
扉が設けられた複数の収納部に収納されている物品を管理する物品管理装置のコンピュータに、
前記収納部の扉の開閉操作を検出し、前記検出した収納部の扉の開操作又は閉操作に対応させて、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する前記収納部から、前記収納棚情報を取得するステップと、
前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、
を実行させるためのプログラム。
【発明の詳細な説明】
【技術分野】
【０００１】
本発明は、物品管理システム、物品管理装置、物品管理方法及びプログラムに関する。
【背景技術】
【０００２】
近年、多種多様の物品の管理を容易にすることが必要とされている。これに関連するロッカールームシステムが知られている（特許文献１参照）。特許文献１によれば、同じ種別の物品を管理することが記載されている。
【先行技術文献】
【特許文献】
【０００３】
【特許文献１】特開２００７−２１７１５９号公報
【発明の概要】
【発明が解決しようとする課題】
【０００４】
しかしながら、特許文献１のロッカールームシステムを１つ設けても、１種類の物品しか管理できないため、多種多様の物品を管理する場合に適用しても管理のための操作がかえって煩雑になる虞がある。
【０００５】
本発明は、このような事情に鑑みてなされたもので、簡易な操作で複数種類の物品を管理できる物品管理システム、物品管理装置、物品管理方法及びプログラムを提供することを目的の一つとする。
【課題を解決するための手段】
【０００６】
上述した課題を解決するために、本発明の一態様は、扉が設けられた複数の収納部と、識別情報を含む情報を記憶する札が付与されている物品を管理する物品管理装置とを備える物品管理システムであって、前記収納部は、前記収納部の扉の開閉操作を検出する扉開閉操作検出部と、前記検出した収納部の扉の開操作又は閉操作に対応させて、前記収納部に収納されている物品に付与されている札から前記物品を識別する識別情報を読み出す読出部と、前記収納部に収納されている物品に付与された札の識別情報と、前記収納部を識別する収納部識別情報とを含む収納棚情報を送信する制御部と、を備え、前記物品管理装置は、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する管理装置制御部を備えることを特徴とする物品管理システムである。
【０００７】
また、本発明の一態様の物品管理システムにおいて、扉開閉操作検出部は、前記収納部の扉の開操作を検出するとともに、前記収納部の扉の開操作を要求した利用者を特定することを特徴とする。
【０００８】
また、本発明の一態様の物品管理システムにおいて、前記管理装置制御部は、前記収納棚情報に対応する前記収納部の扉の開く操作の履歴情報と、前記札の識別情報と、前記扉を閉じる操作の履歴情報と、前記収納部を識別する収納部識別情報とを対応付けて記憶部に記憶させて、前記管理装置制御部は、前記収納部識別情報と前記札の識別情報とに基づいて、前記収納部に収納されている物品の情報を、前記複数種類の物品から選択した物品の種類に対応する画面に表示することを特徴とする。
【０００９】
また、本発明の一態様は、扉が設けられた複数の収納部に収納されている物品を管理する物品管理装置であって、前記収納部の扉の開閉操作を検出し、前記検出した収納部の扉の開操作又は閉操作に対応させて、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する前記収納部から、前記収納棚情報を取得する情報取得部と、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成する管理装置制御部と、を備えることを特徴とする物品管理装置である。
【００１０】
また、本発明の一態様は、扉が設けられた複数の収納部と、識別情報を含む情報を記憶する札が付与されている物品を管理する物品管理装置とを備える物品管理システムにおける物品管理方法であって、前記収納部の扉の開閉操作を検出するステップと、前記検出した収納部の扉の開操作又は閉操作に対応させて、前記収納部に収納されている物品に付与されている札から前記物品を識別する識別情報を読み出すステップと、前記収納部に収納されている物品に付与された札の識別情報と、前記収納部を識別する収納部識別情報とを含む収納棚情報を送信するステップと、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、を含むことを特徴とする物品管理方法である。
【００１１】
また、本発明の一態様は、扉が設けられた複数の収納部に収納されている物品を管理する物品管理装置のコンピュータに、前記収納部の扉の開閉操作を検出し、前記検出した収納部の扉の開操作又は閉操作に対応させて、前記収納部に収納されている物品に付与されている札から前記物品を識別する識別情報を読み出し、前記収納部に収納されている物品に付与された札の識別情報と、前記収納部を識別する収納部識別情報とを含む収納棚情報を収集する前記収納部から、前記収納棚情報を取得するステップと、前記収納棚情報から抽出した前記収納部識別情報と前記札の識別情報とに基づいて、要求に応じて複数種類の物品から選択した物品の種類に対応する画面に、前記要求に基づいて選択した物品の情報を表示させる画像を生成する画像を生成するステップと、を実行させるためのプログラムである。
【発明の効果】
【００１２】
以上説明したように、本発明によれば、簡易な操作で複数種類の物品を管理できる物品管理システム、物品管理装置、物品管理方法及びプログラムを提供することができる。
【図面の簡単な説明】
【００１３】
【図１】本実施形態の収納装置の全体構成を示す斜視図である。
【図２】本実施形態のキャビネット１２の正面側から、キャビネット１２を立面視した状態を示す図である。
【図３】本実施形態の扉１６ａの端部と扉１６ｂの端部を見た立面図である。
【図４】本実施形態のキャビネット１２の上方側から、錠装置２０が設けられた扉を平面視した状態を示す図である。
【図５】本実施形態の錠装置２０の構成図である。
【図６】本発明の実施形態による履歴情報記憶部３１２の構成を示す説明図である。
【図７】本実施形態の物品管理システムのゲスト情報登録処理の手順を示すフローチャートである。
【図８】本実施形態のキャビネット利用時の処理を示すフローチャートである。
【図９】本実施形態の物品管理システムの利用者情報記憶部５４の一例を示す図である。
【図１０】本実施形態の物品管理システムの物品情報記憶部５５の構成を示す説明図である。
【図１１】キャビネットの利用の履歴情報に基づいて物品の検索結果を表示する処理の手順を示すフローチャートである。
【図１２】端末装置６０から情報を取得する際に表示する画面を説明するための図である。
【図１３】物品の検索結果を表示する画面の一例を示すための図である。
【図１４】物品の検索結果を表示する画面の一例を示すための図である。
【発明を実施するための形態】
【００１４】
図を参照して、本発明の一実施形態に係る物品管理システムについて説明する。
図１は、本発明の実施形態による物品管理システムを示す図である。
【００１５】
［物品管理システムの概要］
本実施形態に係る物品管理システムは、扉が設けられた複数の収納部と、識別情報を含む情報を記憶する札が付与されている物品を管理する物品管理装置とを有する。
【００１６】
収納部は、収納部の扉の開閉操作を検出することにより、検出した収納部の扉の開操作又は閉操作に対応させて、その収納部に収納されている物品に付与されている札からその物品を識別する識別情報を読み出し、収納部に収納されている物品に付与された札の識別情報と、収納部を識別する収納部識別情報とを含む収納棚情報を送信する。
【００１７】
物品管理装置は、上記の収納棚情報を取得して、その収納棚情報から抽出した収納部識別情報と上記の札の識別情報とに基づいて、要求に応じて複数種類の物品から物品の種類を選択した物品の種類に対応する画面に、その要求に基づいて選択した物品の情報を表示させる画像を生成する。例えば、物品管理装置は、上記の収納棚情報を取得して、その収納棚情報から抽出した収納部識別情報と上記の札の識別情報とを抽出し、収納部識別情報に基づいて複数種類の物品から物品の種類を選択し、選択した物品の種類に対応する画面に、その要求に基づいて選択した物品の情報を、上記で抽出した札の識別情報に基づいて表示させる画像を生成するようにしてもよい。
【００１８】
（物品管理システムにおけるキャビネットの構成例）
以下、上記の物品管理システムのより具体的な一例について説明する。物品管理システム１０は、例えば、図１に示すキャビネット１２を用いて物品を管理する。図１には、ある建物に設けたキャビネット１２を俯瞰した状況が示されている。同図に示す複数のキャビネット１２は、互いに並べて配置されているが、一部又は全部がキャビネット１２毎に分離されて配置されていてもよい。
【００１９】
以下の説明において、複数のキャビネット１２のそれぞれを、キャビネット１２−１、キャビネット１２−２、キャビネット１２−３、キャビネット１２−４などと呼び、これらを総称する場合には、単にキャビネット１２という。例えば、キャビネット１２毎に異なる種類の物品を収納する場合は、各キャビネット１２に対する物品の種類を割り付けてもよい。例えば、キャビネット１２−１に鍵を、キャビネット１２−２に携帯型の端末装置であるタブレットを、キャビネット１２−３にドアを施錠するための書類を収納するように割り付けてもよい。
【００２０】
各キャビネット１２は、収納本体部１４と、当該収納本体部１４に対して開閉自在に取付けられている扉１６ａ，１６ｂとを備えている。例えば、収納本体部１４には、物品を収納する収納スペース１４ａが形成されており、その収納スペース１４ａに対する物品の出し入れに利用する開口部１４ｉが設けられている。収納スペース１４ａの開口部には、例えば、両開きタイプの扉１６ａ，１６ｂが開閉自在に取付けられている。扉１６ａ、１６ｂは、収納本体部１４の一部に設けられた開口部１４ｉを塞ぐように構成される。
【００２１】
上記扉１６ａ，１６ｂを閉じた状態では、扉１６ａ，１６ｂの合せ目部分が重なり合って配設されるようになっており、対になる扉１６ａ，１６ｂのうち一方の図１の右側の扉１６ａを閉じた状態では、他方の図１の左側の扉１６ｂを開くことができない構成となっている。また、一方の扉１６ａには、操作部としての取っ手部１７ａと、ラッチ機構１７ｄとが取付けられている。ラッチ機構１７ｄは、扉１６ａに組込まれ、当該扉１６ａを閉状態に保つようにロックする。このような機構としては、爪部を収納本体部１４側に係脱自在に係合させるようにした周知機構を含む種々の構成を採用することができる。取っ手部１７ａは、扉１６ａの外面側に姿勢変更自在に取付けられている。この取っ手部１７ａの姿勢変更に連動して、上記ラッチ機構１７ｄが扉１６ａを閉状態に保つようにロックし、或は、当該ロック状態を解除する。
【００２２】
そして、扉１６ａ，１６ｂを閉じることで、上記ラッチ機構１７ｄがロック状態になって扉１６ａ，１６ｂが閉じた状態に保たれる。また、この状態で、取っ手部１７ａを引っ張るように解除操作することで、上記ラッチ機構１７ｄのロック状態が解除され、扉１６ａを開くことができるようになる。また、扉１６ａを開くことで、扉１６ｂも開くことができるようになる。つまり、取っ手部１７ａは、扉１６ａ，１６ｂのロック状態を解除させるための操作部として機能する。
【００２３】
キャビネット１２には、取っ手部１７ａとラッチ機構１７ｄの他に、錠装置２０が設けられている。錠装置２０が設けられたキャビネット１２では、錠装置２０がキャビネット１２の扉１６ａ，１６ｂを施錠することで、扉１６ａ，１６ｂを開く権限が与えられていない人によるキャビネット１２の操作を制限する。
【００２４】
また、上記の収納スペース１４ａは、１又は複数の棚１４ｓによって複数に分割されていてもよい。例えば、収納スペース１４ａは、各棚１４ｓによって複数に分割された収納スペース１４ａ−１、１４ａ−２、１４ａ−３、１４ａ―４に分割される。
収納スペース１４ａ−１、１４ａ−２、１４ａ−３、１４ａ―４のうちの一部又は全部に、無線通信部３５がそれぞれ設けられている。無線通信部３５は、キャビネット１２に収納される物品に付与された認証タグ４５と通信することにより、認証タグ４５に書き込まれている情報を読み取ることができる。
【００２５】
図２は、キャビネット１２の正面側から、キャビネット１２を立面視した状態を示す図である。同図には、閉じた状態の扉１６ａ，１６ｂの面(意匠面)の法線方向（−Ｙ軸方向）にそって、キャビネット１２の正面側から、キャビネット１２を立面視した状態が示されている。錠装置２０は、扉１６ａ，１６ｂにおける取っ手部１７ａの高さより高い位置又は低い位置に配されている。図１と図２に示す例は、前述の取っ手部１７ａの高さより高い位置に配した場合を例示するものである。
【００２６】
図３は、扉１６ａの端部と扉１６ｂの端部を見た立面図である。図３（ａ）に、扉１６ａの扉１６ｂ寄りの端部を見た錠装置２０を示す。読取装置２１と電気錠２２は、扉１６ａを挟んで配置され、対応付けて設けられている。図３（ｂ）に、扉１６ｂの扉１６ａ寄りの端部を見た錠装置２０を示す。固定部材２３と固定具２４は、扉１６ｂを挟んで配置され、対応付けて設けられている。
【００２７】
図４は、キャビネット１２の上方側から、錠装置２０が設けられた扉を平面視した状態を示す図である。同図に示されるように、錠装置２０は、読取装置２１と、電気錠２２と、固定部材２３と、固定具２４とを含む。
【００２８】
扉１６ａには、その表側の面に読取装置２１が設けられ、その裏側の面に電気錠２２が設けられている。
【００２９】
読取装置２１には、キャビネット１２の解錠を要求する利用者の識別情報（利用者識別情報）を、近接して配置されたＩＣカード等から読み取って取得するカード読取部（利用者情報取得部）２１１と、電気錠２２に対する機械的な解錠操作を受け付ける解錠操作受付部２１３とが設けられている。読取装置２１は、その背面が扉１６ａの表面に向けられ、扉１６ａの表側の面（表面）に固定される。
【００３０】
電気錠２２は、電気錠本体２２１と、センサー２２２と、フレーム２２３と、台座２２４と、カバー２２５を含む。例えば、電気錠本体２２１とセンサー２２２は、台座２２４に設けたフレーム２２３にねじなどにより締結され、固定される。センサー２２２は、後述するセンサー２４２と対になり、互いの近接状態を検出する。例えば、センサー２２２は、近接センサーである。センサー２２２とセンサー２４２とが近接した状態にある場合に、扉１６ａと扉１６ｂが閉じられている状態にあることが検出される。
【００３１】
台座２２４は、扉１６ａの裏側の面（裏面）に設けられ、扉１６ａに対して移動しないように固定される。フレーム２２３とカバー２２５は、台座２２４にねじなどによって締結され、固定される。つまり、フレーム２２３は、電気錠本体２２１とセンサー２２２とを支持した状態で台座２２４に固定され、カバー２２５が電気錠本体２２１とセンサー２２２等を覆ってそれらを保護する。
【００３２】
電気錠２２は、ラッチ機構１７ｄを駆動させるためのラッチ機構駆動軸１７ｓと扉１６ｂとに干渉しないように形成されている。例えば、図４に示すように、電気錠２２の形状と位置は、ラッチ機構駆動軸１７ｓの回動範囲を避けるように決定されており、カバー２２５が、ラッチ機構駆動軸１７ｓに当たることはない。このように、ボルト２２Ｂの位置を最適化することにより、キャビネット１２が有するラッチ機構１７ｄをそのまま利用することができる。
【００３３】
固定部材２３は、閉じた状態の扉１６ｂの表側の面（表面）に固定され、固定具２４を支持する。
【００３４】
固定具２４は、電気錠勘合部２４１（留め具）と、センサー２４２と、フレーム２４３と、台座２４４と、カバー２４５とを含む。電気錠勘合部２４１とセンサー２４２は、フレーム２４３に固定される。台座２４４は、扉１６ｂの裏側の面（裏面）に設けられ、扉１６ａに対して移動しないように固定される。フレーム２２３は、台座２２４にねじなどによって締結され、固定される。つまり、フレーム２４３は、電気錠勘合部２４１とセンサー２４２とを支持した状態で台座２４４に固定され、カバー２２５が電気錠本体２２１とセンサー２２２等を覆ってそれらを保護する。
【００３５】
[物品管理システムの詳細]
以下、物品管理システム１０の詳細について説明する。
【００３６】
図５は、本発明の実施形態による物品管理システムを表す構成図である。
物品管理システム１０は、キャビネット１２、ＩＣカード４０、認証タグ４５、物品管理装置５０、及び、端末装置６０を備える。
【００３７】
（キャビネット）
キャビネット１２は、錠装置２０と、無線通信部３５とを備えている。
【００３８】
（錠装置）
錠装置２０は、読取装置２１と、電気錠２２と、制御部３０とを備える。
【００３９】
読取装置２１は、カード読取部２１１（利用者情報取得部）と、出力表示部２１２と、解錠操作受付部２１３とを備える。
【００４０】
カード読取部２１１は、ＩＣカード４０に記憶されている利用者識別情報を取得する。カード読取部２１１が読取対象とするＩＣカード４０は、例えば、ＩＳＯ／ＩＥＣ１４４４３などで規定される通信方式により通信可能なものとする。以下の説明では、カード読取部２１１が読取対象をＩＣカード４０とする場合を例示するが、これに代えて、ＩＣカードのように通信する機能を有した携帯型の端末装置に代えてもよい。
【００４１】
出力表示部２１２は、読取装置２１の制御状態を表示する。例えば、その表示には、錠装置２０に対する通電状態、読取装置２１の読取結果の判定と、電気錠２２の施錠状態や動作状況などを、ＬＥＤ等の点灯／消灯、発光色、発光パターン等により表示する。例えば、表示する項目として「稼働中（ＲＵＮ）」、「施錠中（ＬＯＣＫ）」、「警報（ＡＬＭ）」などが挙げられる。解錠操作受付部２１３は、錠装置２０に対する機械的な解錠操作を受け付ける。例えば、解錠操作受付部２１３は、所定の軸周りの回転操作による回転量に基づいて、本解錠操作を優先させて、施錠状態にある錠装置２０を解錠させる。その詳細は後述する。
なお、上記のとおり、カード読取部２１１と解錠操作受付部２１３は、読取装置２１に視認可能な位置に配置されるが、図２は一例を示すものであり、実施の形態はこれに制限されない。
【００４２】
電気錠２２は、扉１６ａ、１６ｂが開くことを制限する固定具２４に対する突出量を増やして扉１６ａ、１６ｂを施錠するボルト２２Ｂを有する。図３と図４に示すように電気錠２２は、キャビネット１２の扉１６ａの裏面側に設けられる。電気錠２２のボルト２２Ｂは、扉１６ａ、１６ｂの枠部より、又は扉１６ａ、１６ｂを係止するラッチ機構が設けられている領域より、扉１６ａ、１６ｂの奥行き方向に距離（ｄ１−ｄ２）ほど隔てた位置に設けられている。
【００４３】
電気錠２２は、扉１６ａ、１６ｂを閉じた状態でボルト２２Ｂを突出させることで、ボルト２２Ｂに対する位置に配置した電気錠勘合部２４１に、当該ボルト２２Ｂを係止して施錠する。さらに、電気錠２２は、解錠操作受付部２１３による機械的な解錠操作を受け付けて、解錠操作受付部２１３から電気錠２２に対する機械的な解錠操作を伝達する。
【００４４】
制御部３０は、例えば、ＣＰＵ（Central Processing Unit）等のプロセッサと、記憶装置などを有する。例えば、制御部３０は、記憶部３１と、コントローラ３２と、通信ＩＦ部とを備える。
【００４５】
記憶部３１は、ＲＯＭ（Read Only Memory）、ＥＥＰＲＯＭ（Electrically Erasable and Programmable Read Only Memory）、ＨＤＤ（Hard Disk Drive）等の不揮発性の記憶装置と、ＲＡＭ（Random Access Memory）レジスタ等の揮発性の記憶装置によって実現される。記憶部３１は、錠装置２０を機能させるためのプログラム、電気錠２２を解錠する権限が与えられた利用者を許可利用者として識別するための識別情報を制御情報記憶部３１１に、キャビネット１２の利用履歴を示す履歴情報を履歴情報記憶部３１２に格納する。
【００４６】
コントローラ３２は、記憶部３１に記憶されているプログラムにより、読取装置２１のカード読取部２１１がＩＣカードから読み取った情報などに基づいて制御指令を生成して、電気錠２２を制御する。電気錠２２の制御の詳細については後述する。コントローラ３２は、錠装置２０における制御状態を出力して、読取装置２１の出力表示部２１２に表示させる。コントローラ３２は、制御の履歴を管理して履歴情報として履歴情報記憶部３１２に書き込む。コントローラ３２は、物品管理装置５０などの外部のコンピュータと通信ＩＦ部３３を介して通信して、外部のコンピュータからの要求を受け付ける。コントローラ３２は、その要求に基づいて、履歴情報記憶部３１２に格納されている制御の履歴情報を、当該コンピュータに対して送信する。
【００４７】
キャビネット１２の利用の履歴を履歴情報として格納する履歴情報記憶部３１２の一例について説明する。例えば、履歴情報記憶部３１２は、図６に示すように２次元に配列したテーブルとして構成することができる。同図は、履歴情報記憶部３１２の構成を示す説明図である。
【００４８】
同図に示す履歴情報記憶部３１２は、「キャビネット識別情報」、「棚識別情報」、「時刻情報」、「利用者識別情報」、「錠装置制御」、「物品数」、「物品識別情報」の各項目を有している。
「キャビネット識別情報」は、キャビネット１２を識別する識別情報を示す。
「棚識別情報」は、キャビネット１２内の棚を識別する識別情報を示す。
「時刻情報」は、履歴情報を更新した時刻を示す時刻の情報を示す。記録される時刻には、例えば、扉１６ａ、１６ｂの開閉操作が行われた時刻、物品の検出、すなわち認証タグ４５からその識別情報の読み出しを実施した時刻などが含まれる。
「利用者識別情報」は、扉１６ａ、１６ｂの開閉操作を要求した利用者の識別情報を示す。
「錠装置制御」は、錠装置２０が実施した錠の解錠又は施錠の履歴、及び、物品管理装置５０に対する状態通知の実施の履歴を示す。
「物品数」は、検出された物品の個数を示す。
「物品識別情報」は、検出された物品の識別情報を示す。
なお、図中の空欄はデータが含まれていないことを示す。
【００４９】
上記のキャビネット１２は、その内部に設けられた収納スペース１４ａにおいて、物品を収納して管理する。キャビネット１２には、その筐体に施錠可能な扉１６ａ、１６ｂと、扉１６ａ、１６ｂを施錠する錠装置２０とが設けられている。その扉１６ａ、１６ｂが解錠されている時には、収納スペース１４ａに収納されていた物品を利用者が持ち出すことや、持ち出した物品を収納スペース１４ａに戻して返却することができる。一方、その扉が施錠されている時には、収納スペース１４ａに保持している物品を持ち出すことも、持ち出した物品を収納スペース１４ａに返却することもできない。
【００５０】
カード読取部２１１は、ＩＣカード４０を検出し、検出したＩＣカード４０の識別情報を制御部３０に送る。なお、制御部３０は、送られた識別情報を基にＩＣカード４０を識別して、キャビネット１２の解錠を要求した者が、キャビネット１２の利用を許可された利用者であるか否かを判定する。
【００５１】
上記のＩＣカード４０は、当該カードを携行する利用者の認証に用いられる。例えば、ＩＣカード４０は、錠装置２０を解錠させる際に用いられる。利用者は、錠装置２０の解錠を要求する際に、ＩＣカード４０内の記憶領域に有している識別情報を、錠装置２０のカード読取部２１１に読み取らせる。例えば、ＩＣカード４０は、錠装置２０に対して無線信号を用いて識別情報を送信するものであってもよい。無線信号の通信方式は、ＩＥＥＥ８０２．１１規格、Ｂｌｕｅｔｏｏｔｈ（登録商標）規格などの近距離通信に適したものを適用可能である。なお、ＩＣカード４０は、物品の利用者に対応付けられている。
【００５２】
なお、上記の変形例として、カード読取部２１１は、キャビネット１２の利用を許可された利用者の識別情報のリストを物品管理装置５０から予め取得しておき、制御部３０に代わり、検出したＩＣカード４０の識別情報を上記のリストに基づいて識別し、当該ＩＣカード４０の利用者の要求を許可すべきか否かの識別結果を制御部３０に出力するようにしてもよい。
【００５３】
上記のとおり錠装置２０は、カード読取部２１１によるＩＣカード４０の検出結果に基づいて生成される制御部３０からの指令に応じて、その施錠状態を切り換える。錠装置２０は、扉の開閉状態と施錠状態とを出力する。
【００５４】
（無線通信部）
無線通信部３５（読出部）は、制御部３０からの要求に応じて、物品に添付又は締結された認証タグ４５と通信することにより、認証タグ４５に書き込まれている情報を読み取って、その情報を制御部３０に通知する。例えば、収納スペース１４ａ−１、１４ａ−２、１４ａ−３、１４ａ―４などのように収納スペースの各段には、無線通信部３５と図示しないアンテナがそれぞれ設けられており、無線通信部３５とアンテナが互いに接続されている。
【００５５】
上記の認証タグ４５は、物品の在否検出に用いられる。認証タグ４５は、物品とともに持ち出されるまでキャビネット１２内の収納スペース１４ａで保管され、キャビネット１２から物品が持ち出された場合には、利用者によって物品とともに携行される。
【００５６】
無線通信部３５が認証タグ４５と通信するための無線信号の通信方式は、金属の筐体で構成されたキャビネット１２の内部で利用して通信可能な無線方式を利用する。例えば、ＩＥＥＥ８０２．１１規格、Ｂｌｕｅｔｏｏｔｈ（登録商標）規格などの近距離通信に適した方式や、上記の規格で規定される周波数と異なる周波数帯の微弱電力で通信する方式についても適用可能である。
【００５７】
上記のように無線通信部３５は、上記アンテナを利用して各段に存在する認証タグ４５と通信して、各段に存在する認証タグ４５を検出する。これにより、無線通信部３５は、物品の存在を検出する。
【００５８】
制御部３０は、無線通信部３５、カード読取部２１１、錠装置２０の各部の状態を検出するとともに、上記の各部を制御する。制御部３０は、物品管理装置５０と通信可能な状態で接続されている。制御部３０は、カード読取部２１１により検出されたＩＣカード４０の識別情報に基づいた判定により、当該ＩＣカード４０の利用者の要求を許可すると判定された結果に応じて、錠装置２０に対して解錠を指令する。
【００５９】
以下、キャビネット１２において実施される処理について説明する。
（キャビネット内の物品を検出する処理）
まず、本実施形態の物品管理システムにより、キャビネット内の物品を検出する処理について説明する。図７は、本実施形態の物品管理システムにより、キャビネット内の物品を検出する処理の手順を示すフローチャートである。
まず、制御部３０は、予め定められた周期又は時刻に、無線通信部３５を介してキャビネット１２内に存在する物品を特定する処理を実施する（Ｓ１１）。例えば、制御部３０は、計時部（不図示）を有しており、予め定められた周期又は時刻に対応するタイミングに、キャビネット１２内に存在する認証タグ４５の識別情報を順に収集する。制御部３０は、履歴情報記憶部３１２に、収集した認証タグ４５の識別情報を、同識別情報の読み出し時刻とともに書き込み、履歴情報を更新する（Ｓ１２）。なお、その際、コントローラ３２は、「利用者識別情報」と「錠装置制御」の各項目のデータを書き込むデータに含めなくてもよい。
【００６０】
（キャビネット利用時の処理）
図８は、キャビネット利用時の処理を示すフローチャートである。
まず、利用者Ｕは、携行しているＩＣカード４０を、キャビネット１２の読取装置２１にかざす。読取装置２１は、ＩＣカード４０を検出して、ＩＣカード４０から読み出した識別情報をコントローラ３２に送る。コントローラ３２は、ＩＣカード４０から読み出した識別情報を取得する。コントローラ３２は、ＩＣカード４０から読み出した識別情報と制御情報記憶部３１１に登録されている利用者識別情報とから、ＩＣカード４０を保持する者が、制御情報記憶部３１１に登録されていて、キャビネット１２を利用する権限を有する利用者であるか否かを認証する（ステップＳ２２）。
【００６１】
上記ステップＳ２１において、ＩＣカード４０を保持する者がキャビネット１２を利用する権限を有する利用者であると判定した場合に、コントローラ３２は、錠装置２０に解錠を指令する。コントローラ３２は、上記の指令を受けて、錠装置２０を制御して錠装置２０を解錠させる（ステップＳ２３）。
【００６２】
ここで、利用者Ｕは、キャビネット１２に収納されていた物品を持ち出したり、キャビネット１２に物品を返却したりする（ステップＳ２４）。この間、コントローラ３２は、扉１６ａが閉じられるまで所定期間待機する（ステップＳ２５）。
次に、扉１６ａが閉じられたのち、コントローラ３２は、錠装置２０を制御して、キャビネット１２に施錠する（ステップＳ２６）。
【００６３】
コントローラ３２は、キャビネット１２の利用時の情報を新たな履歴情報として、履歴情報記憶部３１２に書き込み、更新する（ステップＳ２７）。なお、その際、コントローラ３２は、「棚識別情報」と「物品数」と「物品識別情報」の各項目のデータを書き込むデータに含めなくてもよい。
【００６４】
（物品管理装置５０に対して履歴情報を通知する処理）
制御部３０は、物品管理装置５０からの要求に応じて、履歴情報を通知する。その際に、コントローラ３２は、履歴情報の通知の実施についても履歴情報に追加する。なお、履歴情報の通知の実施を示す履歴情報には、「棚識別情報」と「利用者識別情報」と「物品数」と「物品識別情報」の各項目のデータが含まれていなくてもよい。
【００６５】
［端末装置］
次に、端末装置６０について説明する。端末装置６０は、表示部６１と制御部６２とを備える。端末装置６０は、ネットワークＮＷを介して、物品管理装置５０と通信可能な状態で接続されている。端末装置６０は、キャビネット１２の利用者又はキャビネット１２の管理者による操作を受け付けて、利用者がキャビネット１２を利用できるように、利用権限を示す情報を物品管理装置５０に登録する。例えば、端末装置６０は、パーソナルコンピュータ等として構成されていてもよい。
【００６６】
表示部６１は、例えばタッチパネルディスプレイとして構成されており、物品管理装置５０を操作するための所望の操作画面を表示する。表示部６１は、利用者の操作を受け付けて、検出した操作に係るデータを出力する。
【００６７】
制御部６２は、物品管理装置５０からの指示に従って、物品管理システム１０の操作を行うための画像と各種情報を表示部６１に表示する。制御部６２は、上記の画像と各種情報が表示部６１に表示された後に、利用者が行った操作入力を表示部６１（タッチパネル）により検出して、検出した操作入力を物品管理装置５０に通知する。上記の通知後に、制御部６２は、物品管理装置５０からの指示に従って、通知の結果を示す画像と各種情報を表示部６１に表示する。
【００６８】
［物品管理装置］
次に、物品管理装置５０について説明する。物品管理装置５０は、制御部５１と、権限付与情報記憶部５２と、履歴情報記憶部５３と、利用者情報記憶部５４と、物品情報記憶部５５とを備える。
物品管理装置５０は、端末装置６０からの要求に応じて、キャビネット１２による物品の管理状況を提示する棕櫚を実施する。
【００６９】
（キャビネットの利用を許可する処理）
まず、制御部５１は、各利用者に対して利用を許可するキャビネット１２を設定するために下記の処理を実施する。
【００７０】
第１の処理として、制御部５１は、利用者の属性情報として、利用者識別情報、利用者名などを、利用者情報記憶部５４に書き込む。図９は、利用者情報記憶部５４の一例を示す図である。利用者情報記憶部５４は、利用者の属性情報を格納する。なお、制御部５１は、利用者情報記憶部５４に書き込まれたデータを、関連するキャビネット１２の制御部３０に予め通知する。制御部３０では、そのデータは、ＩＣカード４０を識別する識別情報として利用される。
第２の処理として、制御部５１は、利用者情報記憶部５４に属性情報が格納された各利用者に対して、利用を許可するキャビネット１２を対応づける情報を、権限付与情報記憶部５２に書き込む。権限付与情報記憶部５２は、各利用者に対し、利用を許可するキャビネット１２を対応づける情報を格納する。
【００７１】
第３の処理として、制御部５１は、物品管理システム１０において管理される各種物品の種類と、キャビネット１２とを対応付ける。例えば、物品情報記憶部５５は、図１０に示すように２次元に配列したテーブルとして構成することができる。同図は、物品情報記憶部５５の構成を示す説明図である。同図に示す物品情報記憶部５５は、「キャビネット識別情報」、「物品種別」の各項目を有している。
「キャビネット識別情報」は、個々のキャビネット１２を識別する識別情報を示す。
「物品種別」は、物品管理システム１０が管理する各種物品の種別を示す。
例えば、同図に、キャビネット１２−１（Ｃ１２１）に鍵を、キャビネット１２−２（Ｃ１２２）に携帯型端末を、キャビネット１２−３（Ｃ１２３）に書類Ａを、キャビネット１２−４（Ｃ１２４）に書類Ｂを割り当てた場合の一例を示す。
【００７２】
制御部５１は、各種物品の種類と、キャビネット１２との対応付けの結果に従って、「キャビネット識別情報」、「物品種別」の各項目にそのデータを書き込む。
【００７３】
（キャビネットの利用履歴を示す履歴情報を収集する処理）
まず、制御部５１は、端末装置６０からの要求に応じて、物品管理装置５０の処理に要する幾つかのデータを端末装置６０から取得する。例えば、物品管理装置５０の処理に要するデータには、特定のキャビネット１２の利用を許可する利用者についてのデータ、利用者が利用を希望する物品に関するデータなどが含まれる。制御部５１は、利用者が利用を希望する物品を検索する際に、各キャビネット１２の利用履歴を示す履歴情報を収集して、履歴情報記憶部５３に書き込む。履歴情報記憶部５３の一例について説明する。例えば、履歴情報記憶部５３は、前述の図６に示す履歴情報記憶部３１２と同様のテーブルとして構成することができる。履歴情報記憶部５３は、履歴情報記憶部３１２に対し、「キャビネット識別情報」に格納される情報が、１地又は複数のキャビネット１２になる点が異なる。
【００７４】
（キャビネットの利用の履歴情報に基づいて物品の検索結果を表示する処理）
キャビネットの利用の履歴情報に基づいて物品の検索結果を表示する処理について説明する。図１１は、キャビネットの利用の履歴情報に基づいて物品の検索結果を表示する処理の手順を示すフローチャートである。
【００７５】
端末装置６０から情報を取得する際に表示する画面の一例を図に示す。図１２は、端末装置６０から情報を取得する際に表示する画面を説明するための図である。同図に示されるように、画面Ｐ１には、「物品種別の選択」を利用者に促すための表示エリアＰ１１と、「検索条件」の指定を利用者に促すための表示エリアＰ１２と、「検索」の実行を指示するボタンＰ１３と、操作の「取消」を指示するボタンＰ１４が表示されている。表示エリアＰ１１に表示されている４つの選択子は、物品の種別を示す。表示エリアＰ１１において、例えば、その一つである、「タブレット」を選択するための操作後の画面を示す。表示エリアＰ１２に表示されている２つの選択子は、検索結果の出力方法を指定する２通りの方法を示す。表示エリアＰ１２において、例えば、その一つである、物品が存在するキャビネット１２の位置（「在庫している位置」）を選択するための操作後の画面を示す。
【００７６】
上記の画面御状態で、ボタンＰ１３を操作（クリック）して検索処理を制御部５１に実行させる。制御部５１は、端末装置６０から取得した物品の情報に基づいて、検索対象として指定された物品が存在すると推定されるキャビネット１２を、物品情報記憶部５５に基づいて特定する（ステップＳ３１）。
【００７７】
制御部５１は、ステップＳ３１において特定されたキャビネット１２の履歴情報記憶部５３のうちから、検索対象の物品を検索する（ステップＳ３２）。
【００７８】
制御部５１は、ステップＳ３１において取得した物品の種別情報に基づいて、画面の構成を決定する（ステップＳ３３）。
【００７９】
制御部５１は、ステップＳ３３において決定した画面に、ステップＳ３２における検索結果である、個々の物品の在否を示す情報を追加する（ステップＳ３４）。
【００８０】
例えば、画面の構成例を図１３と図１４に示す。図１３と図１４は、物品の検索結果を表示する画面の一例を示すための図である。図１３は、検索対象の物品としてタブレットが選択された場合の結果を示す。
【００８１】
表示エリアＰ２１に、検索対象の物品が存在するキャビネットがおかれている場所と、キャビネットの番号（Ｎｏ）と、同キャビネット内の棚の位置（棚Ｎｏ）を示す。表示エリアＰ２２に、当該キャビネットにおける棚の位置を模式化して図示する。表示エリアＰ２３に、同棚に存在するタブレットの在否を示す。この棚には、Ｎ台のタブレットが収納可能であり、Ｎｏ１，２，４等のタブレットが収納されており、Ｎｏ３、５、等のタブレットが持ち出されている状況にあることを示す。また、図１４は、図１３に代えて、検索対象の物品として書類Ａが選択された場合の結果を示す。このように、検索対象の物品の種類を選択するだけで、異なる種類の物品の在否を表示することができる。また、制御部５１は、その表示の画面も、検索対象の物品の種類に応じた画面構成を選択することができる。
【００８２】
以上の実施形態によれば、物品管理システム１０は、扉１６ａ、１６ｂが設けられた複数のキャビネット１２（収納部）と、識別情報を含む情報を記憶する認証タグ４５（札）が付与されている物品を管理する物品管理装置５０とを有する。
【００８３】
キャビネット１２は、キャビネット１２の扉の開閉操作を検出することにより、検出したキャビネット１２の扉の開操作又は閉操作に対応させて、そのキャビネット１２に収納されている物品に付与されている認証タグ４５からその物品を識別する識別情報を読み出し、キャビネット１２に収納されている物品に付与された認証タグ４５の識別情報と、キャビネット１２を識別する収納部識別情報とを含む収納棚情報を送信する。
【００８４】
物品管理装置５０は、上記の収納棚情報を取得して、その収納棚情報から抽出した収納部識別情報と上記の認証タグ４５の識別情報とに基づいて、要求に応じて複数種類の物品から物品の種類を選択した物品の種類に対応する画面に、その要求に基づいて選択した物品の情報を表示させる画像を生成する。例えば、物品管理装置５０は、上記の収納棚情報を取得して、その収納棚情報から抽出した収納部識別情報と上記の認証タグ４５の識別情報とを抽出し、収納部識別情報に基づいて複数種類の物品から物品の種類を選択し、選択した物品の種類に対応する画面に、その要求に基づいて選択した物品の情報を、上記で抽出した札の識別情報に基づいて表示させる画像を生成するようにしてもよい。
これにより、物品管理システム１０は、簡易な操作で複数種類の物品を管理することができる。
【００８５】
また、扉開閉操作検出部は、キャビネット１２の扉の開操作を検出するとともに、キャビネット１２の扉の開操作を要求した利用者を特定してもよい。センサー２２２と２４２と制御部３０は、扉開閉操作検出部の一例である。
【００８６】
また、制御部５１（管理装置制御部）は、収納棚情報に対応するキャビネット１２の扉の開く操作の履歴情報と、認証タグ４５の識別情報と、扉を閉じる操作の履歴情報と、キャビネット１２を識別する収納部識別情報とを対応付けて履歴情報記憶部３１２に記憶させる。制御部５１は、収納部識別情報と認証タグ４５の識別情報とに基づいて、キャビネット１２に収納されている物品の情報を、複数種類の物品から選択した物品の種類に対応する画面に表示してもよい。これにより、制御部５１は、画面の構成を、検索対象の物品の種類に応じて選択することができる。さらに、検索対象の物品の種類を選択するだけで、異なる種類の物品の在否を表示することができる。
【００８７】
以上に示したように、本実施形態の物品管理システム１０は、各種効果を奏するものである。
【００８８】
なお、物品管理システム１０を実現するためのプログラムをコンピュータ読み取り可能な記録媒体に記録して、この記録媒体に記録されたプログラムをコンピュータシステムに読み込ませ、実行することにより各種処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００９０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。例えば、上記の変形例として、前述の実施形態の構成や機能の配置を合理的に変更したり、何れか複数の構成や機能を任意に組み合わせて一体のものとして構成したりしてもよい。これら実施形態やその変形は、発明の範囲や要旨に含まれると同様に、特許請求の範囲に記載された発明とその均等の範囲に含まれるものである。
【符号の説明】
【００９１】
１０…物品管理システム、１２…キャビネット（収納部）、
５０…物品管理装置、５１…制御部、
６０…端末装置。
【図１】
2017171459.tif 000003
【図２】
2017171459.tif 000004
【図３】
2017171459.tif 000005
【図４】
2017171459.tif 000006
【図５】
2017171459.tif 000007
【図６】
2017171459.tif 000008
【図７】
2017171459.tif 000009
【図８】
2017171459.tif 000010
【図９】
2017171459.tif 000011
【図１０】
2017171459.tif 000012
【図１１】
2017171459.tif 000013
【図１２】
2017171459.tif 000014
【図１３】
2017171459.tif 000015
【図１４】
2017171459.tif 000016